(57)【要約】【課題】簡単な回路で、かつ安価に、第１、第２の排水ポンプの運転時間の均一化を図る。【解決手段】自動モードでは、接続スイッチ１０６ａ，２０６ａ，３０２が閉じた状態にある。第１、第２のポンプのいずれかあるいは双方による一連の排水動作が終了する毎に、ラチェットリレー１１２は、交互に、第１の状態（スイッチ１１３，２１４が閉じ、スイッチ２１３，１１４が開いた状態）または第２の状態（スイッチ２１３，１１４が閉じ、スイッチ１１３，２１４が開いた状態）となる。第１の状態では、第１の水位でスイッチ１１５が閉じ、モータ１７Ａで第１の排水ポンプが駆動され、第２の排水ポンプに先行して運転状態となる。逆に、第２の状態では、第１の水位でスイッチ２１５が閉じ、モータ１７Ｂで第２の排水ポンプが駆動され、第１の排水ポンプに先行して運転状態となる。【選択図】        図２
2007162659.tif 000002
【特許請求の範囲】
【請求項１】
第１の排水ポンプと、
第２の排水ポンプと、
水位を検出する水位検出手段と、
上記水位検出手段で第１の水位が検出されるとき、上記第１の排水ポンプおよび上記第２の排水ポンプのうち先行の排水ポンプの運転が開始されるように導通状態となる第１の接続スイッチと、
上記水位検出手段で上記第１の水位より高い第２の水位が検出されるとき、上記第１の排水ポンプおよび上記第２の排水ポンプのうち後行の排水ポンプの運転が開始されるように導通状態となる第２の接続スイッチと、
上記第１の排水ポンプおよび上記第２の排水ポンプのいずれかまたは双方による一連の排水動作が終了する毎に、上記第１の排水ポンプおよび上記第２の排水ポンプの先行後行が切り替わるように上記第１の接続スイッチおよび上記第２の接続スイッチの接続位置を切り替える機械的なスイッチ手段と
を備えることを特徴とする排水ポンプ装置。
【発明の詳細な説明】
【技術分野】
【０００１】
この発明は、例えば水力発電所のピット内の水を排水するために使用される排水ポンプ装置に関する。
【０００２】
詳しくは、この発明は、排水動作が終了する毎に、第１、第２の排水ポンプの先行後行を機械的なスイッチ手段を用いて自動的に切り替えることによって、簡単な回路で、かつ安価に、第１、第２の排水ポンプの運転時間の均一化を図るようにした排水ポンプ装置に係るものである。
【背景技術】
【０００３】
水力発電所では、発電所の最下部に漏水を集めるピットがある。従来、このピット内の水を２台の排水ポンプを用いて排水することが行われている。すなわち、通常は、一定範囲のピット水位で先行の排水ポンプの起動、停止が行われるが、先行ポンプの故障等によりさらにピット水位が上昇すると後行の排水ポンプが起動するようになっている。
【０００４】
通常は先行の排水ポンプのみの運転となり、後行の排水ポンプとの運転時間が著しく異なったり、一方の排水ポンプに故障、部品の消耗などが生じる。また、長期間停止中の排水ポンプでは、水がポンプケーシング内に長期間停滞し、腐食等の悪影響を与える。そのため、定期的に２台の排水ポンプの先行後行の切り替えを行う必要がある。
【０００５】
そこで例えば、１ヶ月毎の巡視点検時に、人為的に、先行後行の切り替えを行うことが行われている。しかし、１ヶ月毎の切り替えでは２台の排水ポンプの運転時間の均一化を図ることは難しく、しかも切り替え時の操作ミスを起こし易い。
【０００６】
特許文献１には、起動・停止信号を発生する回路からの停止パルス信号毎にモードを切り替え、前モードにおいて運転順序が第１位で最も運転時間の長かった機器を新モードで最終位として停止させ、複数台の機器の運転時間を自動的に均一化する、交互運転方法が記載されている。
【０００７】
【特許文献１】特開平５−１１３８０１号公報
【発明の開示】
【発明が解決しようとする課題】
【０００８】
特許文献１に記載される交互運転方法では、例えば２台の機器が存在する場合、この２台の機器が交互に運転状態となる。しかしこの特許文献１に記載の技術では、モードの切り替えをソフトウェアで行うものであって、回路構成が複雑で、かつ高価となるという問題がある。
【０００９】
この発明の目的は、簡単な回路で、かつ安価に、第１、第２の排水ポンプの運転時間の均一化を図ることにある。
【課題を解決するための手段】
【００１０】
この発明に係る排水ポンプ装置は、第１の排水ポンプと、第２の排水ポンプと、水位を検出する水位検出手段と、この水位検出手段で第１の水位が検出されるとき、第１の排水ポンプおよび第２の排水ポンプのうち先行の排水ポンプの運転が開始されるように導通状態となる第１の接続スイッチと、水位検出手段で第１の水位より高い第２の水位が検出されるとき、第１の排水ポンプおよび第２の排水ポンプのうち後行の排水ポンプの運転が開始されるように導通状態となる第２の接続スイッチと、第１の排水ポンプおよび第２の排水ポンプのいずれかまたは双方による一連の排水動作が終了する毎に、第１の排水ポンプおよび第２の排水ポンプの先行後行が切り替わるように第１の接続スイッチおよび第２の接続スイッチの接続位置を切り替える機械的なスイッチ手段とを備えるものである。
【００１１】
この発明においては、水位検出手段で第１の水位が検出されるとき、第１の接続スイッチが導通状態となり、先行の排水ポンプの運転が開始される。その後、水位検出手段で第２の水位が検出されるとき、第２の接続スイッチが導通状態となり、後行の排水ポンプの運転が開始される。このように先行の排水ポンプによる排水動作、あるいは先行および後行の排水ポンプによる排水動作によって、例えば所定水位以下となるとき、第１、第２の接続スイッチが非導通状態とされて排水ポンプの運転が停止され、一連の排水動作が終了する。排水ポンプによる一連の排水動作が終了する毎に、第１の排水ポンプおよび第２の排水ポンプの先行後行が切り替わるように、第１、第２の接続スイッチの接続位置の切り替えが、機械的なスイッチ手段、例えばラチェットリレーを用いて行われる。
【００１２】
第１の排水ポンプおよび第２の排水ポンプの先行後行の切り替えが一連の排水動作が終了する毎に行われるものであり、第１、第２の排水ポンプの運転時間の均一化が図られる。また、第１の排水ポンプおよび第２の排水ポンプの先行後行の切り替えが機械的なスイッチ手段により行われるものであり、簡単な回路で、かつ安価に実現し得る。
【発明の効果】
【００１３】
この発明によれば、排水動作が終了する毎に、第１、第２の排水ポンプの先行後行を機械的なスイッチ手段を用いて自動的に切り替えるものであり、簡単な回路で、かつ安価に、第１、第２の排水ポンプの運転時間の均一化を図ることができる。
【発明を実施するための最良の形態】
【００１４】
以下、図面を参照しながら、この発明の実施の形態について説明する。
【００１５】
図１は、水力発電所における水車発電機１０の配設例を概略的に示している。この水車発電機１０は、発電機と水車とからなっており、互いの軸が接続されて構成されている。この水車発電機１０は、水車室１１の床面１２に配設されている。
【００１６】
この水車室１１の地下には地下廊１３が存在し、この地下廊１３の下部に漏水を集めるピット１４が設けられている。地下廊１３には、このピット１４の位置に対応して、このピット１４内に溜まった水１５を屋外に排出するための２つの排水ポンプ１６Ａ，１６Ｂが設けられている。排水ポンプ１６Ａは第１の排水ポンプを構成し、排水ポンプ１６Ｂは第２の排水ポンプを構成している。水車室１１の床面１２には、排水ポンプ１６Ａ，１６Ｂをそれぞれ駆動するためのモータ１７Ａ，１７Ｂと、これらモータ１７Ａ，１７Ｂの動作を制御する排水ポンプ回路１８とが配置されている。
【００１７】
後述するように、「手動モード」では、ユーザの操作により、排水ポンプ１６Ａ，１６Ｂは個々に運転状態とされる。また、「１号先行モード」では、排水ポンプ１６Ａが先行とされると共に排水ポンプ１６Ｂが後行とされ、「２号先行モード」では、排水ポンプ１６Ｂが先行とされると共に排水ポンプ１６Ａが後行とされる。また、「自動運転モード」では、排水ポンプ１６Ａ，１６Ｂの先行後行が、一連の排水動作が終了する毎に切り替えられる。
【００１８】
ピット１４内には、図示せずも、水位検出手段、例えばフロート式の水位検出計が配設されている。ピット１４内の水１５の水位が第１の水位ＨＷＬ１となるとき、先行の排水ポンプの運転が開始される。さらに、ピット１４内の水１５の水位が上昇し、第１の水位ＨＷＬ１より高い第２の水位ＨＷＬ２となるとき、後行の排水ポンプの運転が開始される。ピット１４内の水１５の水位が低下し、第１の水位ＨＷＬ１より低い第３の水位ＨＷＬ０となるとき、上述の先行後行の排水ポンプの運転が停止される。
【００１９】
次に、排水ポンプ回路１８の具体例を説明する。図２は、排水ポンプ回路１８の接続図を示している。
【００２０】
Ｒ，Ｓ，Ｔの３相の交流電源は、ＮＦＢ(No Fuse Breaker)１０１(8WH1)、電磁接触器１０２(88WH1)および欠相検出器１０３(49WH1)を介して、排水ポンプ１６Ａを駆動するためのモータ１７Ａに供給される。ＮＦＢ１０１は、このＮＦＢ１０１と電磁接触器１０２との間の線路を流れる電流に基づいて動作し、この電流の値が所定値より大きくなるとき遮断状態となる。
【００２１】
ＮＦＢ１０１と電磁接触器１０２との間のＲ相の交流電源が流れる線路は、ＮＦＢ１０４(8WHA1)を介して、モード切替スイッチ１０５を構成する、手動、自動、１号先行、２号先行の各接続スイッチ１０６ｍ、１０６ａ、１０６ｆ，１０６ｓの一端に接続される。ＮＦＢ１０１と電磁接触器１０２との間のＴ相の交流電源が流れる線路は、ＮＦＢ１０４(8WHA1)を介して、上述した欠相検出器１０３で欠相が検出されるとき開く手動復帰型の接続スイッチ１０７(49WH1)の一端に接続される。
【００２２】
図３は、モード切替スイッチ１０５の切替位置を示している。このモード切替スイッチ１０５を構成する接続スイッチ１０６ｍ，１０６ａ，１０６ｆ，１０６ｓは、それぞれ、手動モード、自動モード、１号先行モード、２号先行モードの切替位置とされるとき閉じた状態となる。
【００２３】
手動の接続スイッチ１０６ｍの他端は、停止用の操作スイッチ１０８(3-88WH1)、起動用の操作スイッチ１０９(3-88WH1)、および上述の電磁接触器１０２の電磁石を構成するコイル１１０(88WH1)の直列回路を介して上述の接続スイッチ１０７の他端に接続される。操作スイッチ１０８は、操作している間のみ開き、常時は閉じている。操作スイッチ１０９は、操作している間のみ閉じ、常時は開いている。操作スイッチ１０９と並列に自己保持用の補助スイッチ１１１(88WH1)が接続されている。この補助スイッチ１１１は、上述した電磁接触器１０２と開閉を共にする。
【００２４】
自動の接続スイッチ１０６ａの他端は、ラチェットリレー１１２の接続スイッチ１１３，１１４の一端に接続される。このラチェットリレー１１２は、機械的なスイッチ手段を構成している。接続スイッチ１１３の他端は、接続スイッチ１１５(33WH1X1)を介して、操作スイッチ１０９およびコイル１１０の互いの接続点に接続されている。接続スイッチ１１４の他端は、接続スイッチ１１６(33WH2X2)を介して、操作スイッチ１０９およびコイル１１０の互いの接続点に接続されている。接続スイッチ１１５は第１の接続スイッチを構成し、接続スイッチ１１６は第２の接続スイッチを構成している。
【００２５】
接続スイッチ１１５は、上述した水位検出手段で水位の上昇に伴って第１の水位ＨＷＬ１が検出されるとき閉じた状態（導通状態）となり、その後水位検出手段で水位の下降に伴って第３の水位ＨＷＬ０が検出されるとき開いた状態（非導通状態）となる。接続スイッチ１１６は、上述した水位検出手段で水位の上昇に伴って第２の水位ＨＷＬ２が検出されるとき閉じた状態（導通状態）となり、その後水位検出手段で水位の下降に伴って第３の水位ＨＷＬ０が検出されるとき開いた状態（非導通状態）となる。
【００２６】
１号先行の接続スイッチ１０６ｆの他端は、接続スイッチ１１３および接続スイッチ１１５の互いの接続点に接続されている。２号先行の接続スイッチ１０６ｓの他端は、接続スイッチ１１４および接続スイッチ１１６の互いの接続点に接続されている。
【００２７】
また、Ｒ，Ｓ，Ｔの３相の交流電源は、ＮＦＢ(No Fuse Breaker)２０１(8WH2)、電磁接触器２０２(88WH2)および欠相検出器２０３(49WH2)を介して、排水ポンプ１６Ｂを駆動するためのモータ１７Ｂに供給される。ＮＦＢ２０１は、このＮＦＢ２０１と電磁接触器２０２との間の線路を流れる電流に基づいて動作し、この電流の値が所定値より大きくなるとき遮断状態となる。
【００２８】
ＮＦＢ２０１と電磁接触器２０２との間のＲ相の交流電源が流れる線路は、ＮＦＢ２０４(8WHA2)を介して、モード切替スイッチ１０５を構成する、手動、自動、２号先行、１号先行の各接続スイッチ２０６ｍ、２０６ａ、２０６ｓ，２０６ｆの一端に接続される。ＮＦＢ２０１と電磁接触器２０２との間のＴ相の交流電源が流れる線路は、ＮＦＢ２０４(8WHA2)を介して、上述した欠相検出器２０３で欠相が検出されるとき開く手動復帰型の接続スイッチ２０７(49WH2)の一端に接続される。
【００２９】
このモード切替スイッチ１０５を構成する接続スイッチ２０６ｍ，２０６ａ，２０６ｓ，２０６ｆは、それぞれ、手動モード、自動モード、２号先行モード、１号先行モードの切替位置とされるとき閉じた状態となる。
【００３０】
手動の接続スイッチ２０６ｍの他端は、停止用の操作スイッチ２０８(3-88WH2)、起動用の操作スイッチ２０９(3-88WH2)、および上述の電磁接触器２０２の電磁石を構成するコイル２１０(88WH2)の直列回路を介して上述の接続スイッチ２０７の他端に接続される。操作スイッチ２０８は、操作している間のみ開き、常時は閉じている。操作スイッチ２０９は、操作している間のみ閉じ、常時は開いている。操作スイッチ２０９と並列に自己保持用の補助スイッチ2１１(88WH2)が接続されている。この補助スイッチ２１１は、上述した電磁接触器２０２と開閉を共にする。
【００３１】
自動の接続スイッチ２０６ａの他端は、ラチェットリレー１１２の接続スイッチ２１３，２１４の一端に接続される。接続スイッチ２１３の他端は、接続スイッチ２１５(33WH1X1)を介して、操作スイッチ２０９およびコイル２１０の互いの接続点に接続されている。接続スイッチ２１４の他端は、接続スイッチ２１６(33WH2X2)を介して、操作スイッチ２０９およびコイル２１０の互いの接続点に接続されている。接続スイッチ２１５は第１の接続スイッチを構成し、接続スイッチ２１６は第２の接続スイッチを構成している。
【００３２】
接続スイッチ２１５は、上述した水位検出手段で水位の上昇に伴って第１の水位ＨＷＬ１が検出されるとき閉じた状態（導通状態）となり、その後水位検出手段で水位の下降に伴って第３の水位ＨＷＬ０が検出されるとき開いた状態（非導通状態）となる。接続スイッチ２１６は、上述した水位検出手段で水位の上昇に伴って第２の水位ＨＷＬ２が検出されるとき閉じた状態（導通状態）となり、その後水位検出手段で水位の下降に伴って第３の水位ＨＷＬ０が検出されるとき開いた状態（非導通状態）となる。
【００３３】
２号先行の接続スイッチ２０６ｓの他端は、接続スイッチ２１３および接続スイッチ２１５の互いの接続点に接続されている。１号先行の接続スイッチ２０６ｆの他端は、接続スイッチ２１４および接続スイッチ２１６の互いの接続点に接続されている。
【００３４】
また、ＮＦＢ１０１，２０１の前に位置する、Ｒ相の交流電源が流れる線路とＴ相の交流電源が流れる線路との間に、ＮＦＢ(No Fuse Breaker)３０１(8WHA)を介して、接続スイッチ３０２、補助スイッチ３０３(88WH1)、補助スイッチ３０４(88WH2)およびラチェットリレー１１２の電磁石を構成するコイル３０５(10WH)の直列回路が接続されている。接続スイッチ３０２は上述したモード切替スイッチ１０５を構成しており、自動モードの切替位置とされるとき、閉じた状態となる。補助スイッチ３０３は上述した電磁接触器１０２とは逆の開閉状態となり、補助スイッチ３０４は上述した電磁接触器２０２とは逆の開閉状態となる。
【００３５】
上述したラチェットリレー１１２では、コイル３０５に電流が流れる毎に、接続スイッチ１１３，１１４，２１３，２１４の接続状態が変更される。すなわち、このラチェットリレー１１２では、接続スイッチ１１３，２１４が閉じ、接続スイッチ２１３，１１４が開いた状態（第１の状態）と、接続スイッチ２１３，１１４が閉じ、接続スイッチ１１３，２１４が開いた状態（第２の状態）とを取り得るが、コイル３０５に電流が流れる毎に、それらの状態が切り替えられる。
【００３６】
次に、図２に示す排水ポンプ回路１８の動作を説明する。
【００３７】
まず、モード切替スイッチ１０５の切替位置が手動モードにある場合について説明する。この手動モードでは、接続スイッチ１０６ｍ，２０６ｍは閉じた状態にある。
【００３８】
この場合、起動用の操作スイッチ１０９を操作して閉じた状態とすると、コイル１１０に電流が流れ、電磁接触器１０２は閉じた状態となる。そのため、３相の交流電源が電磁接触器１０２を通じてモータ１７Ａに供給され、このモータ１７Ａによって排水ポンプ１６Ａが駆動され、この排水ポンプ１６Ａが運転状態となる。このように電磁接触器１０２が閉じた状態となると、接続スイッチ１１１も閉じた状態となり、操作スイッチ１０９から手を離して開いた状態となってもコイル１１０に電流が流れ続けるため、モータ１７Ａへの３相の交流電源の供給状態、従って排水ポンプ１６Ａの運転状態が継続される。
【００３９】
このような排水ポンプ１６Ａの運転状態で、停止用の操作スイッチ１０８を操作して開いた状態とすると、コイル１１０に電流が流れなくなり、電磁接触器１０２は開いた状態となる。そのため、３相の交流電源がモータ１７Ａに供給されなくなり、排水ポンプ１６Ａの運転は停止される。
【００４０】
なお、詳細説明は省略するが、排水ポンプ１６Ｂ側の動作も、上述した排水ポンプ１６Ａ側の動作と同様であり、起動用の操作スイッチ２０９を操作することで排水ポンプ１６Ｂは運転状態となり、その後に停止用の操作スイッチ２０８を操作することで排水ポンプ１６Ｂの運転が停止される。
【００４１】
次に、モード切替スイッチ１０５の切替位置が１号先行モードにある場合について説明する。この１号先行モードでは、接続スイッチ１０６ｆ，２０６ｆは閉じた状態にある。
【００４２】
この場合、水位が上昇していき、水位検出手段が第１の水位ＨＷＬ１を検出したとき、接続スイッチ１１５が閉じた状態となり、コイル１１０に電流が流れ、電磁接触器１０２は閉じた状態となる。そのため、３相の交流電源が電磁接触器１０２を通じてモータ１７Ａに供給され、このモータ１７Ａによって排水ポンプ１６Ａが駆動され、この排水ポンプ１６Ａが運転状態となる。
【００４３】
また、さらに水位が上昇していき、水位検出手段が第２の水位ＨＷＬ２を検出したとき、接続スイッチ２１６が閉じた状態となり、コイル２１０に電流が流れ、電磁接触器２０２は閉じた状態となる。そのため、３相の交流電源が電磁接触器２０２を通じてモータ１７Ｂに供給され、このモータ１７Ｂによって排水ポンプ１６Ｂが駆動され、この排水ポンプ１６Ｂが運転状態となる。
【００４４】
このように、この１号先行モードでは、第１の水位ＨＷＬ１となるとき排水ポンプ１６Ａが先行して運転状態となり、その後に第２の水位ＨＷＬ２となるとき排水ポンプ１６Ｂが運転状態となる。
【００４５】
また、この１号先行モードでは、排水ポンプ１６Ａが運転している状態、あるいは排水ポンプ１６Ａ，１６Ｂの双方が運転している状態で、水位が低下していき、水位検出手段が第３の水位ＨＷＬ０を検出したとき、接続スイッチ１１５，２１６は開いた状態となる。そのため、３相の交流電源がモータ１７Ａ、あるいはモータ１７Ａ，１７Ｂに供給されなくなり、排水ポンプ１６Ａ、あるいは排水ポンプ１６Ａ，１６Ｂの運転は停止される。
【００４６】
次に、モード切替スイッチ１０５の切替位置が２号先行モードにある場合について説明する。この２号先行モードでは、接続スイッチ１０６ｓ，２０６ｓは閉じた状態にある。
【００４７】
この場合、水位が上昇していき、水位検出手段が第１の水位ＨＷＬ１を検出したとき、接続スイッチ２１５が閉じた状態となり、コイル２１０に電流が流れ、電磁接触器２０２は閉じた状態となる。そのため、３相の交流電源が電磁接触器２０２を通じてモータ１７Ｂに供給され、このモータ１７Ｂによって排水ポンプ１６Ｂが駆動され、この排水ポンプ１６Ｂが運転状態となる。
【００４８】
また、さらに水位が上昇していき、水位検出手段が第２の水位ＨＷＬ２を検出したとき、接続スイッチ１１６が閉じた状態となり、コイル１１０に電流が流れ、電磁接触器１０２は閉じた状態となる。そのため、３相の交流電源が電磁接触器１０２を通じてモータ１７Ａに供給され、このモータ１７Ａによって排水ポンプ１６Ａが駆動され、この排水ポンプ１６Ａが運転状態となる。
【００４９】
このように、この２号先行モードでは、第１の水位ＨＷＬ１となるとき排水ポンプ１６Ｂが先行して運転状態となり、その後に第２の水位ＨＷＬ２となるとき排水ポンプ１６Ａが運転状態となる。
【００５０】
また、この２号先行モードでは、排水ポンプ１６Ｂが運転している状態、あるいは排水ポンプ１６Ｂ，１６Ａの双方が運転している状態で、水位が低下していき、水位検出手段が第３の水位ＨＷＬ０を検出したとき、接続スイッチ２１５，１１６は開いた状態となる。そのため、３相の交流電源がモータ１７Ｂ、あるいはモータ１７Ｂ，１７Ａに供給されなくなり、排水ポンプ１６Ｂ、あるいは排水ポンプ１６Ｂ，１６Ａの運転は停止される。
【００５１】
次に、モード切替スイッチ１０５の切替位置が自動モードにある場合について説明する。この自動モードでは、接続スイッチ１０６ａ，２０６ａ，３０２が閉じた状態にある。ここで、ラチェットリレー１１２が第１の状態、すなわち接続スイッチ１１３，２１４が閉じ、接続スイッチ２１３，１１４が開いた状態にある場合には、上述した１号先行モードと同様の接続状態となり、第１の水位ＨＷＬ１となるとき排水ポンプ１６Ａが先行して運転状態となり、その後に第２の水位ＨＷＬ２となるとき排水ポンプ１６Ｂが運転状態となる。またこの場合、排水ポンプ１６Ａが運転している状態、あるいは排水ポンプ１６Ａ，１６Ｂの双方が運転している状態で、水位が低下していき、水位検出手段が第３の水位ＨＷＬ０を検出したとき、排水ポンプ１６Ａ、あるいは排水ポンプ１６Ａ，１６Ｂの運転は停止される。
【００５２】
排水ポンプ１６Ａ、あるいは排水ポンプ１６Ａ，１６Ｂが運転状態にある間は、接続スイッチ３０３、あるいは接続スイッチ３０３，３０４が開いた状態にあってコイル３０５に電流は流れない。しかし、電磁接触器１０２、あるいは電磁接触器１０２，２０２が開いた状態となって排水ポンプ１６Ａ、あるいは排水ポンプ１６Ａ，１６Ｂの運転が停止されるとき、接続スイッチ３０３、あるいは接続スイッチ３０３，３０４が閉じた状態となり、コイル３０５に電流が流れる。そのため、ラチェットリレー１１２は、上述した第１の状態から第２の状態、すなわち接続スイッチ２１３，１１４が閉じ、接続スイッチ１１３，２１４が開いた状態になる。
【００５３】
この場合には、上述した２号先行モードと同様の接続状態となり、第１の水位ＨＷＬ１となるとき排水ポンプ１６Ｂが先行して運転状態となり、その後に第２の水位ＨＷＬ２となるとき排水ポンプ１６Ａが運転状態となる。またこの場合、排水ポンプ１６Ｂが運転している状態、あるいは排水ポンプ１６Ｂ，１６Ａの双方が運転している状態で、水位が低下していき、水位検出手段が第３の水位ＨＷＬ０を検出したとき、排水ポンプ１６Ｂ、あるいは排水ポンプ１６Ｂ，１６Ａの運転は停止される。
【００５４】
排水ポンプ１６Ｂ、あるいは排水ポンプ１６Ｂ，１６Ａが運転状態にある間は、接続スイッチ３０４、あるいは接続スイッチ３０４，３０３が開いた状態にあってコイル３０５に電流は流れない。しかし、電磁接触器２０２、あるいは電磁接触器２０２，１０２が開いた状態となって排水ポンプ１６Ｂ、あるいは排水ポンプ１６Ｂ，１６Ａの運転が停止されるとき、接続スイッチ３０４、あるいは接続スイッチ３０４，３０３が閉じた状態となり、コイル３０５に電流が流れる。そのため、ラチェットリレー１１２は、上述した第２の状態から第１の状態、すなわち接続スイッチ１１３，２１４が閉じ、接続スイッチ２１３，１１４が開いた状態になる。
【００５５】
以下、同様にして、排水ポンプ１６Ａおよび１６Ｂのいずれかあるいは双方による一連の排水動作が終了する毎に、ラチェットリレー１１２の状態が第１の状態から第２の状態に、あるいは第２の状態から第１の状態に切り替わり、１号先行モードの動作と２号先行モードの動作とが交互に行われる。
【００５６】
上述したように、本実施の形態においては、モード切替スイッチ１０５の切替位置が自動モードにある場合、排水ポンプ１６Ａ，１６Ｂの先行後行の切り替えが一連の排水動作が終了する毎に行われるものであり、排水ポンプ１６Ａ，１６Ｂの運転時間の均一化を図ることができる。また、本実施の形態においては、排水ポンプ１６Ａ，１６Ｂの先行後行の切り替えを、機械的なスイッチ手段であるラチェットリレー１１２により行われるものであり、簡単な回路で、かつ安価に実現できる。
【００５７】
上述実施の形態において、自動モードの他に手動モード、１号先行モード、２号先行モードを設けているのは、点検や故障があったときに対処するためである。
【産業上の利用可能性】
【００５８】
この発明は、簡単な回路で、かつ安価に、第１、第２の排水ポンプの運転時間の均一化を図ることができるものであり、例えば水力発電所のピット内の水を排水する排水ポンプ装置に適用できる。
【図面の簡単な説明】
【００５９】
【図１】水車発電機の配設例を概略的に示す図である。
【図２】排水ポンプ回路の接続図である。
【図３】モード切替スイッチの切替位置を示す図である。
【符号の説明】
【００６０】
１０・・・水車発電機、１１・・・水車室、１２・・・床面、１３・・・地下廊、１４・・・ピット、１５・・・水、１６Ａ，１６Ｂ・・・排水ポンプ、１７Ａ，１７Ｂ・・・モータ、１８・・・排水ポンプ回路、１０５・・・モード切替スイッチ、１１２・・・ラチェットリレー
【図１】
2007162659.tif 000003
【図２】
2007162659.tif 000004
【図３】
2007162659.tif 000005